(57)【要約】【課題】物品の収納が容易で、かつ収納した物品の改竄を確実に防止できる改竄防止袋を提供する。【解決手段】雌側帯状基部２１１は、雌側鈎部２１２から袋本体１０の開口端１２側に対応する一縁側と収納空間１３側に対応する他縁側とを袋本体１０に取り付ける。雄側帯状基部２２１は、咬合部Ｘが連設する位置から袋本体１０の開口端１２側に対応する一縁側を取り付けず、接合領域Ｅのみ取り付ける。物品Ｇの収納後、袋本体１０の開口端１２側を把持して開封しようとした場合、雌側帯状基部２１１と雄側帯状基部２２１とに剪断させる方向に力が作用し、雌側爪部および雄側爪部が互いに噛み合う状態となり、咬合を外すことができない。袋本体１０に物品Ｇを収納して咬合部Ｘを咬合させた後は、開封操作自体が不可能となって、物品Ｇの改竄を確実に防止できるジッパーテープ付袋体２を提供できる。【選択図】図１
2015217980.tif 000002
【特許請求の範囲】
【請求項１】
開口を有し物品を収納する収納空間を区画する袋本体と、
一対の雄側鈎部および雌側鈎部が互いに咬合可能な咬合部と、前記咬合部にそれぞれ連設する一対の帯状基部とを備え、前記袋本体の内面に取り付けられるジッパーテープとを備えたジッパーテープ付袋体であって、
前記帯状基部のいずれか一方は、少なくとも前記袋本体の開口側に対応する一縁側と前記袋本体の収納空間側に対応する他縁側が前記袋本体に取り付けられ、
前記帯状基部のいずれか他方は、前記袋本体の開口側に対応する一縁側は前記袋本体に取り付けられず、前記袋本体の収納空間側に対応する他縁側が前記袋本体に取り付けられている
ことを特徴とするジッパーテープ付袋体。
【請求項２】
開口を有し物品を収納する収納空間を区画する袋本体と、
一対の雄側鈎部および雌側鈎部が互いに咬合可能な咬合部と、前記咬合部にそれぞれ連設する一対の帯状基部とを備え、前記袋本体の内面に取り付けられるジッパーテープとを備えたジッパーテープ付袋体であって、
前記帯状基部のいずれか一方は、少なくとも前記咬合部が連設する位置に対して前記開口側および前記収納空間側に対応する縁側がそれぞれ前記袋本体に取り付けられ、
前記帯状基部のいずれか他方は、前記袋本体の開口側に対応する一縁側は前記袋本体に取り付けられず、前記袋本体の収納空間側に対応する他縁側が前記袋本体に取り付けられている
ことを特徴とするジッパーテープ付袋体。
【請求項３】
請求項１または請求項２に記載のジッパーテープ付袋体おいて、
前記帯状基部のいずれか他方の雄側鈎部または雌側鈎部は、前記開口側および前記収納空間側に向けて突出する爪部をそれぞれ有し、
前記帯状基部のいずれか一方には、前記収納空間側に向けて突出し少なくとも前記開口側の爪部に係脱可能な係脱爪部を有する
ことを特徴とするジッパーテープ付袋体。
【請求項４】
請求項１から請求項３までのいずれか一項に記載のジッパーテープ付袋体において、
前記帯状基部のいずれか他方は、少なくとも前記咬合部が連設する位置から前記袋本体の開口側に対応する一縁までが前記袋本体に取り付けられていない
ことを特徴とするジッパーテープ付袋体。
【請求項５】
請求項１から請求項４までのいずれか一項に記載のジッパーテープ付袋体において、
前記咬合部は、複数対設けられた
ことを特徴とするジッパーテープ付袋体。
【請求項６】
請求項１から請求項５までのいずれか一項に記載のジッパーテープ付袋体において、
前記帯状基部のいずれか他方は、前記咬合部が連設する位置より前記袋本体の開口側に対応する一縁までの長さが、前記帯状基部のいずれか一方における前記咬合部が連設する位置より前記袋本体の開口側に対応する一縁までの長さより短い
ことを特徴とするジッパーテープ付袋体。
【請求項７】
請求項６に記載のジッパーテープ付袋体において、
前記帯状基部のいずれか他方は、前記咬合部が連設する位置より前記袋本体の開口側に対応する一縁側を把持不可能となる寸法に形成された
ことを特徴とするジッパーテープ付袋体。
【請求項８】
請求項１から請求項７までのいずれか一項に記載のジッパーテープ付袋体において、
前記咬合部の位置より前記収納空間側に位置して開封用切断部が設けられている
ことを特徴とするジッパーテープ付袋体。
【請求項９】
請求項１から請求項８までのいずれか一項に記載のジッパーテープ付袋体に物品を収納する物品収納方法であって、
前記袋本体の開口から収納空間内に前記物品を収納する収納工程と、
前記収納工程の後に前記ジッパーテープの咬合部を咬合させる咬合工程と、を実施する
ことを特徴とするジッパーテープ付袋体の物品収納方法。
【請求項１０】
基材フィルムが重ね合わされて形成される袋本体の内面に、一対の雄側鈎部および雌側鈎部が互いに咬合可能な咬合部と、前記咬合部にそれぞれ連設する一対の帯状基部とを備えたジッパーテープを取り付けて、ジッパーテープ付袋体を製造する製造方法であって、
前記帯状基部のいずれか一方を、少なくとも前記袋本体の開口側に対応する一縁側と前記袋本体の収納空間側に対応する他縁側で前記袋本体に取り付け、
前記帯状基部のいずれか他方を、前記袋本体の開口側に対応する一縁側は前記袋本体に取り付けず、前記袋本体の収納空間側に対応する他縁側で前記袋本体に取り付ける
ことを特徴とするジッパーテープ付袋体の製造方法。
【請求項１１】
基材フィルムが重ね合わされて形成される袋本体の内面に、一対の雄側鈎部および雌側鈎部が互いに咬合可能な咬合部と、前記咬合部にそれぞれ連設する一対の帯状基部とを備えたジッパーテープを取り付けてジッパーテープ付袋体を製造する製造方法であって、
前記帯状基部のいずれか一方を、少なくとも前記咬合部が連設する位置に対して前記開口側および前記収納空間側に対応する縁側でそれぞれ前記袋本体に取り付け、
前記帯状基部のいずれか他方を、前記袋本体の開口側に対応する一縁側は前記袋本体に取り付けず、前記袋本体の収納空間側に対応する他縁側で前記袋本体に取り付ける
ことを特徴とするジッパーテープ付袋体の製造方法。
【請求項１２】
請求項１０または請求項１１に記載のジッパーテープ付袋体の製造方法において、
前記ジッパーテープとして、前記帯状基部のいずれか他方の雄側鈎部または雌側鈎部は、前記開口側および前記収納空間側に向けて突出する爪部をそれぞれ有し、
前記帯状基部のいずれか一方には、前記収納空間側に向けて突出し少なくとも前記開口側の爪部に係脱可能な係脱爪部を有したものを用いる
ことを特徴とするジッパーテープ付袋体の製造方法。
【請求項１３】
請求項１０から請求項１２までのいずれか一項に記載のジッパーテープ付袋体の製造方法において、
前記帯状基部のいずれか他方は、少なくとも前記咬合部が連設する位置から前記袋本体の開口側に対応する一縁までを前記袋本体に取り付けない
ことを特徴とするジッパーテープ付袋体の製造方法。
【請求項１４】
請求項１０から請求項１３までのいずれか一項に記載のジッパーテープ付袋体の製造方法において、
前記ジッパーテープとして、前記咬合部を複数対設けたものを用いる
ことを特徴とするジッパーテープ付袋体の製造方法。
【請求項１５】
請求項１０から請求項１４までのいずれか一項に記載のジッパーテープ付袋体の製造方法において、
前記ジッパーテープとして、前記咬合部が連設する位置より前記袋本体の開口側に対応する一縁までの長さが、前記帯状基部のいずれか一方における前記咬合部が連設する位置より前記袋本体の開口側に対応する一縁までの長さより短いものを用いる
ことを特徴とするジッパーテープ付袋体の製造方法。
【請求項１６】
請求項１０から請求項１５までのいずれか一項に記載のジッパーテープ付袋体の製造方法において、
前記袋本体に取り付けられた前記帯状基部のいずれか他方を、前記咬合部が連設する位置より前記袋本体の開口側に対応する一縁までの長さが、前記帯状基部のいずれか一方における前記咬合部が連設する位置より前記袋本体の開口側に対応する一縁までの長さより短く切断する
ことを特徴とするジッパーテープ付袋体の製造方法。
【請求項１７】
請求項１５または請求項１６に記載のジッパーテープ付袋体の製造方法において、
前記帯状基部のいずれか他方における前記咬合部が連設する位置より前記袋本体の開口側に対応する一縁までの長さは、把持不可能となる寸法である
ことを特徴とするジッパーテープ付袋体の製造方法。
【請求項１８】
請求項１０から請求項１７までのいずれか一項に記載のジッパーテープ付袋体の製造方法において、
前記取り付けられたジッパーテープの咬合部の位置より前記収納空間側に位置して開封用切断部を設ける
ことを特徴とするジッパーテープ付袋体の製造方法。
【請求項１９】
基材フィルムが重ね合わされて形成される袋本体の内面に、一対の雄側鈎部および雌側鈎部が互いに咬合可能な咬合部と、前記咬合部にそれぞれ連設する一対の帯状基部とを備えたジッパーテープを取り付けて、ジッパーテープ付袋体を製造する製造装置であって、
前記ジッパーテープを前記基材フィルムに配置させる配置部と、
前記帯状基部のいずれか一方を、少なくとも前記袋本体の開口側に対応する一縁側と前記袋本体の収納空間側に対応する他縁側で前記袋本体に取り付けるとともに、
前記帯状基部のいずれか他方を、前記袋本体の開口側に対応する一縁側は前記袋本体に取り付けず、前記袋本体の収納空間側に対応する他縁側で前記袋本体に取り付ける取付部と、
を具備したことを特徴とするジッパーテープ付袋体の製造装置。
【請求項２０】
基材フィルムが重ね合わされて形成される袋本体の内面に、一対の雄側鈎部および雌側鈎部が互いに咬合可能な咬合部と、前記咬合部にそれぞれ連設する一対の帯状基部とを備えたジッパーテープを取り付けて、ジッパーテープ付袋体を製造する製造装置であって、
前記ジッパーテープを前記基材フィルムに配置させる配置部と、
前記帯状基部のいずれか一方を、少なくとも前記咬合部が連設する位置に対して前記開口側および前記収納空間側に対応する縁側でそれぞれ前記袋本体に取り付けるとともに、
前記帯状基部のいずれか他方を、前記袋本体の開口側に対応する一縁側は前記袋本体に取り付けず、前記袋本体の収納空間側に対応する他縁側で前記袋本体に取り付ける取付部と、
を具備したことを特徴とするジッパーテープ付袋体の製造装置。
【発明の詳細な説明】
【技術分野】
【０００１】
本発明は、ジッパーテープ付袋体、ジッパーテープ付袋体の物品収納方法、ジッパーテープ付袋体の製造方法、および、ジッパーテープ付袋体の製造装置に関する。
【背景技術】
【０００２】
従来、袋体に詰め込んだ商品を展示した時や、輸送時、その他において、商品を収納した袋を故意に開封し、商品が改竄されることがある。
例えば、スーパーマーケットなどの小売店や充填業者などにおいて、袋体に商品を詰め、その後、袋体に封をした後、売り場で展示販売、もしくは小売店に搬入することがある。
ここで、袋体に商品を詰め、その後に封をするために、袋体を開閉する手段として、ヒートシール装置を必要とせず簡易に充填するという観点から、袋本体の互いに対向する面に接合されたジッパーテープを用いることがある。
ジッパーテープは、雄部材と雌部材とが着脱自在とされた構造であるため、袋体に封をする作業と開封する作業が簡易に行えるという有利な点があるものの、袋体に封をして一度収納した後に、袋体を開封して商品を容易に取り出せるという不利な点もある。そのため、商品の改竄防止という点からは、ジッパーテープ付き袋体は利用しにくい。
【０００３】
このようなジッパーテープ付袋体において、改竄防止のための機能を備えた構成が知られている（例えば、特許文献１，２参照）。
特許文献１に記載のものは、長手帯状の嵌合基部と、この嵌合基部の長手方向に沿って他部材が嵌合する渦巻き状の嵌合凹溝を有する係止部と、この係止部に接合し嵌合基部に連結する支持部とを備えた帯状係止部材がある。
この特許文献１では、一対の帯状係止部材が互いに嵌合することでジッパーテープとして機能する。係止部は、嵌合凹溝の一方の開口縁近傍に他部材と係合する内方に向けて突出する係合爪部を有する。支持部は、係止部との接合する位置が、係合爪部が他部材に係合する係合位置から嵌合基部に向けた垂線よりも、嵌合凹溝の他方の開口縁側に変位した位置に設けられている。支持部は、係止部が他部材と嵌合した状態から互いに離間する方向に引っ張り力を作用させて嵌合状態が解除される強度より小さい強度に形成される。
【０００４】
特許文献２に記載のものは、一方の帯状支持片が曲折枢動状態で袋の内部に向き、他方の帯状支持片が曲折枢動状態で袋の口を向くように、肉厚に形成された一縁側が袋に取り付けられている。袋を開けようとした際、対をなす帯状支持片が曲折枢動状態となってそれぞれのフックが互いに噛み合うようになり、改竄防止する構成が採られている。また、局所的な厚肉部のみをヒートシールしなければならないため、製袋設備が限定され、汎用的ではない。
【先行技術文献】
【特許文献】
【０００５】
【特許文献１】特開２０１１−３６６４２号公報
【特許文献２】特開２０１２−４１０８９号公報
【発明の概要】
【発明が解決しようとする課題】
【０００６】
上記特許文献１で示される改竄防止機能では、一対の帯状係止部材を一度嵌合した後に開封しようとすると、嵌合する係止部同士に剪断応力が作用して係合爪部が互いに咬み込む状態となり、開封しにくくなる。
しかし、特許文献１で示される改竄防止機能では、ジッパーテープが複雑な形状であるため、製造が困難であるとともに、搬送時に破損しないように注意が必要となる。
また、特許文献２では、対をなす帯状支持片は、力の作用を受けていない静止状態で自由端側が袋から間隔を開けて離れている状態となっているので、それぞれのフックを咬合させて封止する際に、力が作用して折曲枢動状態となり、適切にフックが咬合できなくなってしまうおそれがある。このため、部分的に咬合していないなど、咬合が十分でない場合には容易に開封されてしまい、改竄防止機能を発揮できないおそれがある。
【０００７】
本発明の目的は、物品の収納が容易で、かつ収納した物品の改竄を確実に防止できるジッパーテープ付袋体、ジッパーテープ付袋体の物品収納方法、ジッパーテープ付袋体の製造方法、および、ジッパーテープ付袋体の製造装置を提供することにある。
【課題を解決するための手段】
【０００８】
本発明のジッパーテープ付袋体は、開口を有し物品を収納する収納空間を区画する袋本体と、一対の雄側鈎部および雌側鈎部が互いに咬合可能な咬合部と、前記咬合部にそれぞれ連設する一対の帯状基部とを備え、前記袋本体の内面に取り付けられるジッパーテープとを備えたジッパーテープ付袋体であって、前記帯状基部のいずれか一方は、少なくとも前記袋本体の開口側に対応する一縁側と前記袋本体の収納空間側に対応する他縁側が前記袋本体に取り付けられ、前記帯状基部のいずれか他方は、前記袋本体の開口側に対応する一縁側は前記袋本体に取り付けられず、前記袋本体の収納空間側に対応する他縁側が前記袋本体に取り付けられていることを特徴とする。
この発明では、帯状基部のいずれか一方は袋本体に咬合部より両縁側が取り付けられて袋本体に固定された状態となっているので、物品を収納して雄側鈎部および雌側鈎部を咬合させる際に、位置ずれなどにより咬合が不十分となることを防止でき、確実に咬合でき、改竄防止機能を確実に付与できる。さらに、帯状基部のいずれか他方のみ、袋本体の開口側に対応する一縁側を袋本体に取り付けないので、袋本体を開封させようとすると、一対の帯状基部がそれぞれ反対方向で咬合部を剪断する方向に移動する状態となる。このことにより、雄側鈎部および雌側鈎部が互いに噛み合う方向に開封力が作用し、咬合が外されて袋本体が開封されることを防止でき、確実に改竄を防止することが可能となる。
ここで、雄側鈎部および雌側鈎部としては、断面やじり状の雄部材およびこの雄部材が咬合する凹溝状の雌部材に限らず、例えば片側のみ爪が突出する断面鈎状のものなど、互い咬合可能ないずれの形状を対象とすることができる。
【０００９】
本発明のジッパーテープ付袋体は、開口を有し物品を収納する収納空間を区画する袋本体と、一対の雄側鈎部および雌側鈎部が互いに咬合可能な咬合部と、前記咬合部にそれぞれ連設する一対の帯状基部とを備え、前記袋本体の内面に取り付けられるジッパーテープとを備えたジッパーテープ付袋体であって、前記帯状基部のいずれか一方は、少なくとも前記咬合部が連設する位置に対して前記開口側および前記収納空間側に対応する縁側がそれぞれ前記袋本体に取り付けられ、前記帯状基部のいずれか他方は、前記袋本体の開口側に対応する一縁側は前記袋本体に取り付けられず、前記袋本体の収納空間側に対応する他縁側が前記袋本体に取り付けられていることを特徴とする。
この発明では、帯状基部のいずれか一方は袋本体に咬合部より両縁側が取り付けられて袋本体に固定された状態となっているので、物品を収納して雄側鈎部および雌側鈎部を咬合させる際に、位置ずれなどにより咬合が不十分となることを防止でき、確実に咬合でき、改竄防止機能を確実に付与できる。さらに、帯状基部のいずれか他方のみ、袋本体の開口側に対応する一縁側を袋本体に取り付けないので、袋本体を開封させようとすると、一対の帯状基部がそれぞれ反対方向で咬合部を剪断する方向に移動する状態となる。このことにより、雄側鈎部および雌側鈎部が互いに噛み合う方向に開封力が作用し、咬合が外されて袋本体が開封されることを防止でき、確実に改竄を防止することが可能となる。
【００１０】
また、本発明では、前記帯状基部のいずれか他方の雄側鈎部または雌側鈎部は、前記開口側および前記収納空間側に向けて突出する爪部をそれぞれ有し、前記帯状基部のいずれか一方には、前記収納空間側に向けて突出し少なくとも前記開口側の爪部に係脱可能な係脱爪部を有することが好ましい。
この発明では、帯状基部のいずれか他方の雄側鈎部または雌側鈎部に、開口側および前記収納空間側に向けて突出し、帯状基部のいずれか一方の係脱爪部に係脱する爪部を設けることで、咬合状態をより強固にでき、より改竄防止性を向上できる。
【００１１】
そして、本発明では、前記帯状基部のいずれか他方は、少なくとも前記咬合部が連設する位置から前記袋本体の開口側に対応する一縁までが前記袋本体に取り付けられていないことが好ましい。
この発明では、帯状基部のいずれか他方において、少なくとも咬合部が連設する位置から袋本体の開口側に対応する一縁までを袋本体に取り付けないことで、袋本体を開封させようとすると、一対の帯状基部がそれぞれ反対方向で咬合部を剪断する方向に移動する状態が確実に得られ、確実に改竄を防止することが可能となる。
【００１２】
また、本発明では、前記咬合部は、複数対設けられたことが好ましい。
この発明では、咬合部を複数対設けることで、咬合力が増大し、確実に改竄を防止することが可能となる。
【００１３】
また、本発明では、前記帯状基部のいずれか他方は、前記咬合部が連設する位置より前記袋本体の開口側に対応する一縁までの長さが、前記帯状基部のいずれか一方における前記咬合部が連設する位置より前記袋本体の開口側に対応する一縁までの長さより短いことが好ましい。
この発明では、咬合部が連設する位置より袋本体の開口側に対応する一縁までの長さとして、袋本体に取り付けられないいずれか他方の帯状基部の方が、いずれか一方の帯状基部より短くすることで、袋本体に取り付けられない帯状基部の一縁側が袋本体の開口近傍に自由端として存在することが防止できる。このことにより、自由端が収納作業の際に邪魔となることを防止でき、物品の収納作業が容易となるとともに、自由端の部分を掴みづらくなることから、自由端を掴んで開封されてしまうことを防止でき、より確実に改竄防止できる。
【００１４】
さらに、本発明では、前記帯状基部のいずれか他方は、前記咬合部が連設する位置より前記袋本体の開口側に対応する一縁側を把持不可能となる寸法に形成されたことが好ましい。
この発明では、袋本体に取り付けられていない一縁側を把持不可能に短くすることで、袋本体を開封しようとすると、一対の帯状基部がそれぞれ反対方向で咬合部を剪断する方向に移動する状態が確実に得られ、確実に改竄を防止することが可能となる。
【００１５】
そして、本発明では、前記咬合部の位置より前記収納空間側に位置して開封用切断部が設けられていることが好ましい。
この発明では、開封用切断部により咬合する咬合部を切断することで、収納された物品を取り出すことができ、利用者による開封が容易となる。
【００１６】
本発明のジッパーテープ付袋体の物品収納方法は、本発明のジッパーテープ付袋体に物品を収納する物品収納方法であって、前記袋本体の開口から収納空間内に前記物品を収納する収納工程と、前記収納工程の後に前記ジッパーテープの咬合部を咬合させる咬合工程と、を実施することを特徴とする。
この発明では、袋本体内に物品を収納した後、咬合部を咬合することで、袋本体の開口側を把持して開封しようとした場合、一対の帯状基部がそれぞれ反対方向で咬合部を剪断する方向に移動する状態となる。このため、咬合部の雄側鈎部および雌側鈎部が互いに噛み合う状態となり、咬合を外すことができない。したがって、袋本体に物品を収納して咬合部を咬合させた後は、開封操作自体が不可能となって、物品の改竄が確実に防止される。
【００１７】
本発明のジッパーテープ付袋体の製造方法は、基材フィルムが重ね合わされて形成される袋本体の内面に、一対の雄側鈎部および雌側鈎部が互いに咬合可能な咬合部と、前記咬合部にそれぞれ連設する一対の帯状基部とを備えたジッパーテープを取り付けて、ジッパーテープ付袋体を製造する製造方法であって、前記帯状基部のいずれか一方を、少なくとも前記袋本体の開口側に対応する一縁側と前記袋本体の収納空間側に対応する他縁側で前記袋本体に取り付け、前記帯状基部のいずれか他方を、前記袋本体の開口側に対応する一縁側は前記袋本体に取り付けず、前記袋本体の収納空間側に対応する他縁側で前記袋本体に取り付けることを特徴とする。
この発明では、帯状基部のいずれか一方は袋本体に咬合部より両縁側が取り付けられて袋本体に固定された状態となっているので、物品を収納して雄側鈎部および雌側鈎部を咬合させる際に、位置ずれなどにより咬合が不十分となることを防止でき、確実に咬合でき、改竄防止機能を確実に付与できる。さらに、帯状基部のいずれか他方のみ、袋本体の開口側に対応する一縁側を袋本体に取り付けないので、製造されたジッパーテープ付袋体の袋本体を開封させようとすると、一対の帯状基部がそれぞれ反対方向で咬合部を剪断する方向に移動する状態となる。このことにより、雄側鈎部および雌側鈎部が互いに噛み合う方向に開封力が作用し、咬合が外されて袋本体が開封されることを防止できる。このため、袋本体に物品を収納して咬合部を咬合させた後は、開封操作自体が不可能となるので、物品の改竄が確実に防止されるジッパーテープ付袋体を製造できる。
【００１８】
本発明のジッパーテープ付袋体の製造方法は、基材フィルムが重ね合わされて形成される袋本体の内面に、一対の雄側鈎部および雌側鈎部が互いに咬合可能な咬合部と、前記咬合部にそれぞれ連設する一対の帯状基部とを備えたジッパーテープを取り付けてジッパーテープ付袋体を製造する製造方法であって、前記帯状基部のいずれか一方を、少なくとも前記咬合部が連設する位置に対して前記開口側および前記収納空間側に対応する縁側でそれぞれ前記袋本体に取り付け、前記帯状基部のいずれか他方を、前記袋本体の開口側に対応する一縁側は前記袋本体に取り付けず、前記袋本体の収納空間側に対応する他縁側で前記袋本体に取り付けることを特徴とする。
この発明では、帯状基部のいずれか一方は袋本体に咬合部より両縁側が取り付けられて袋本体に固定された状態となっているので、物品を収納して雄側鈎部および雌側鈎部を咬合させる際に、位置ずれなどにより咬合が不十分となることを防止でき、確実に咬合でき、改竄防止機能を確実に付与できる。さらに、帯状基部のいずれか他方のみ、袋本体の開口側に対応する一縁側を袋本体に取り付けないので、袋本体を開封させようとすると、一対の帯状基部がそれぞれ反対方向で咬合部を剪断する方向に移動する状態となる。このことにより、雄側鈎部および雌側鈎部が互いに噛み合う方向に開封力が作用し、咬合が外されて袋本体が開封されることを防止でき、確実に改竄を防止することが可能となる。
【００１９】
また、本発明では、前記ジッパーテープとして、前記帯状基部のいずれか他方の雄側鈎部または雌側鈎部は、前記開口側および前記収納空間側に向けて突出する爪部をそれぞれ有し、前記帯状基部のいずれか一方には、前記収納空間側に向けて突出し少なくとも前記開口側の爪部に係脱可能な係脱爪部を有したものを用いることが好ましい。
この発明では、帯状基部のいずれか他方の雄側鈎部または雌側鈎部に、開口側および前記収納空間側に向けて突出し、帯状基部のいずれか一方の係脱爪部に係脱する爪部を設けたジッパーテープを用いることで、咬合状態をより強固にでき、より改竄防止性を向上できる。
【００２０】
そして、本発明では、前記帯状基部のいずれか他方は、少なくとも前記咬合部が連設する位置から前記袋本体の開口側に対応する一縁までを前記袋本体に取り付けないことが好ましい。
この発明では、帯状基部のいずれか他方が、少なくとも咬合部が連設する位置から袋本体の開口側に対応する一縁までを袋本体に取り付けられないことで、製造されたジッパーテープ付袋体の袋本体を開封させようとすると、一対の帯状基部がそれぞれ反対方向で咬合部を剪断する方向に移動する状態が確実に得られ、物品の改竄が確実に防止されるジッパーテープ付袋体を製造できる。
【００２１】
また、本発明では、前記ジッパーテープとして、前記咬合部を複数対設けたものを用いることが好ましい。
この発明では、咬合部を複数対設けたジッパーテープを用いることで、咬合部の咬合力が増大し、物品の改竄が確実に防止されるジッパーテープ付袋体を製造できる。
【００２２】
そして、本発明では、前記ジッパーテープとして、前記咬合部が連設する位置より前記袋本体の開口側に対応する一縁までの長さが、前記帯状基部のいずれか一方における前記咬合部が連設する位置より前記袋本体の開口側に対応する一縁までの長さより短いものを用いることが好ましい。
この発明では、咬合部が連設する位置より袋本体の開口側に対応する一縁までの長さとして、袋本体に取り付けられないいずれか他方の帯状基部の方が、いずれか一方の帯状基部より短いジッパーテープを用いることで、袋本体に取り付けられない帯状基部の一縁側が袋本体の開口近傍に自由端として存在することが防止できる。このことにより、自由端が収納作業の際に邪魔となることを防止でき、物品の収納作業が容易となるとともに、自由端の部分を掴みづらくなることから、自由端を掴んで開封されてしまうことを防止でき、より確実に改竄防止できる。
【００２３】
また、本発明では、前記袋本体に取り付けられた前記帯状基部のいずれか他方を、前記咬合部が連設する位置より前記袋本体の開口側に対応する一縁までの長さが、前記帯状基部のいずれか一方における前記咬合部が連設する位置より前記袋本体の開口側に対応する一縁までの長さより短く切断することが好ましい。
この発明では、いずれか他方の帯状基部における一縁までの長さが、いずれか一方の帯状基部より短くなるように切断することで、袋本体に取り付けられない帯状基部の一縁側が袋本体の開口近傍に自由端として存在することが防止でき、物品の収納作業が容易となる。また、いずれか他方の帯状基部の一縁側を切断する前であれば、誤って物品を収納してしまっても、自由端となっている部分を把持して開封することで、咬合部の咬合を解除可能となる。このため、収納し直して一縁側を切断することで改竄防止ができ、物品の収納作業が容易な改竄防止用のジッパーテープ付袋体を製造できる。
【００２４】
そして、本発明では、前記帯状基部のいずれか他方における前記咬合部が連設する位置より前記袋本体の開口側に対応する一縁までの長さは、把持不可能となる寸法であることが好ましい。
この発明では、袋本体に取り付けられていない一縁側を把持不可能に短くすることで、製造されたジッパーテープ付袋体の袋本体を開封しようとすると、一対の帯状基部がそれぞれ反対方向で咬合部を剪断する方向に移動する状態が確実に得られ、物品の改竄が確実に防止されるジッパーテープ付袋体を製造できる。
【００２５】
また、本発明では、前記取り付けられたジッパーテープの咬合部の位置より前記収納空間側に位置して開封用切断部を設けることが好ましい。
この発明では、開封用切断部により咬合する咬合部を切断できるので、収納された物品を取り出すことができ、利用者による開封が容易な改竄防止用のジッパーテープ付袋体を製造できる。
【００２６】
本発明のジッパーテープ付袋体の製造装置は、基材フィルムが重ね合わされて形成される袋本体の内面に、一対の雄側鈎部および雌側鈎部が互いに咬合可能な咬合部と、前記咬合部にそれぞれ連設する一対の帯状基部とを備えたジッパーテープを取り付けて、ジッパーテープ付袋体を製造する製造装置であって、前記ジッパーテープを前記基材フィルムに配置させる配置部と、前記帯状基部のいずれか一方を、少なくとも前記袋本体の開口側に対応する一縁側と前記袋本体の収納空間側に対応する他縁側で前記袋本体に取り付けるとともに、前記帯状基部のいずれか他方を、前記袋本体の開口側に対応する一縁側は前記袋本体に取り付けず、前記袋本体の収納空間側に対応する他縁側で前記袋本体に取り付ける取付部と、を具備したことを特徴とする。
この発明では、取付部により、帯状基部のいずれか一方は袋本体に咬合部より両縁側を取り付けて袋本体に固定された状態とするので、物品を収納して雄側鈎部および雌側鈎部を咬合させる際に、位置ずれなどにより咬合が不十分となることを防止でき、確実に咬合でき、改竄防止機能を確実に付与できる。さらに、取付部により、帯状基部のいずれか他方のみ、袋本体の開口側に対応する一縁側を袋本体に取り付けないので、製造されたジッパーテープ付袋体の袋本体を開封させようとすると、一対の帯状基部がそれぞれ反対方向で咬合部を剪断する方向に移動する状態となる。このことにより、雄側鈎部および雌側鈎部が互いに噛み合う方向に開封力が作用し、咬合が外されて袋本体が開封されることを防止できる。このため、袋本体に物品を収納して咬合部を咬合させた後は、開封操作自体が不可能となるので、物品の改竄が確実に防止されるジッパーテープ付袋体を製造できる。
【００２７】
本発明のジッパーテープ付袋体の製造装置は、基材フィルムが重ね合わされて形成される袋本体の内面に、一対の雄側鈎部および雌側鈎部が互いに咬合可能な咬合部と、前記咬合部にそれぞれ連設する一対の帯状基部とを備えたジッパーテープを取り付けて、ジッパーテープ付袋体を製造する製造装置であって、前記ジッパーテープを前記基材フィルムに配置させる配置部と、前記帯状基部のいずれか一方を、少なくとも前記咬合部が連設する位置に対して前記開口側および前記収納空間側に対応する縁側でそれぞれ前記袋本体に取り付けるとともに、前記帯状基部のいずれか他方を、前記袋本体の開口側に対応する一縁側は前記袋本体に取り付けず、前記袋本体の収納空間側に対応する他縁側で前記袋本体に取り付ける取付部と、を具備したことを特徴とする。
この発明では、取付部により、帯状基部のいずれか一方は袋本体に咬合部より両縁側を取り付けて袋本体に固定された状態とするので、物品を収納して雄側鈎部および雌側鈎部を咬合させる際に、位置ずれなどにより咬合が不十分となることを防止でき、確実に咬合でき、改竄防止機能を確実に付与できる。さらに、取付部により、帯状基部のいずれか他方のみ、袋本体の開口側に対応する一縁側を袋本体に取り付けないので、製造されたジッパーテープ付袋体の袋本体を開封させようとすると、一対の帯状基部がそれぞれ反対方向で咬合部を剪断する方向に移動する状態となる。このことにより、雄側鈎部および雌側鈎部が互いに噛み合う方向に開封力が作用し、咬合が外されて袋本体が開封されることを防止できる。このため、袋本体に物品を収納して咬合部を咬合させた後は、開封操作自体が不可能となるので、物品の改竄が確実に防止されるジッパーテープ付袋体を製造できる。
【図面の簡単な説明】
【００２８】
【図１】本発明の第一実施形態にかかる改竄防止袋を示す断面図。
【図２】前記改竄防止袋の正面図。
【図３】前記改竄防止袋のジッパーテープ近傍を示す断面図。
【図４】ジッパーテープ付袋体を製造する製造装置を示す概略図。
【図５】前記ジッパーテープ付袋体に物品を収容する物品収納方法を説明する概念図で、（Ａ）は開封工程を示す図、（Ｂ）は収納工程を示す図、（Ｃ）は咬合工程を示す図、（Ｄ）は物品収納後の改竄防止袋を示す図。
【図６】前記ジッパーテープ付袋体の正面図。
【図７】前記ジッパーテープ付袋体のジッパーテープ近傍を示す断面図。
【図８】前記改竄防止袋の開封を防止する状態を説明する断面図。
【図９】本発明の第二実施形態にかかる改竄防止袋を示す平面図。
【図１０】前記改竄防止袋の断面図。
【図１１】ジッパーテープ付袋体を製造する製造装置を示す概略図。
【図１２】本発明の他の実施形態にかかる改竄防止用のジッパーテープ付袋体のジッパーテープ近傍を示す断面図。
【図１３】本発明のさらに他の実施形態にかかる改竄防止用のジッパーテープ付袋体のジッパーテープ近傍を示す断面図。
【図１４】本発明のさらに他の実施形態にかかる改竄防止用のジッパーテープ付袋体のジッパーテープ近傍を示す断面図。
【図１５】本発明のさらに他の実施形態にかかる改竄防止用のジッパーテープ付袋体のジッパーテープ近傍を示す断面図。
【図１６】本発明のさらに他の実施形態にかかる改竄防止用のジッパーテープ付袋体のジッパーテープ近傍を示す断面図。
【図１７】前記ジッパーテープ付袋体の開封を状況を説明する断面図。
【発明を実施するための形態】
【００２９】
以下、本発明の実施形態を図面に基づいて説明する。各実施形態の説明において同一符号を付した部材は説明を省略もしくは簡略にする。
｛第一実施形態｝
［改竄防止袋の構成］
図１〜３において、改竄防止袋１は、物品Ｇと、物品Ｇが収納された改竄防止用のジッパーテープ付袋体２とを備えている。
物品Ｇは、種々の商品を例示できるが、本実施形態では、大小２本のボトルＧ１，Ｇ２である。
【００３０】
［改竄防止用のジッパーテープ付袋体の構成］
改竄防止用のジッパーテープ付袋体２は、物品Ｇが収納された改竄防止袋１に専ら用いられるものであって、物品Ｇが収納される袋本体１０と、袋本体１０の互いに対向する内面に接合された改竄防止用のジッパーテープ２０とを備える。袋本体１０の改竄防止用のジッパーテープ２０より物品収納側には、開封用切断部３０が設けられている。
【００３１】
（袋本体の構成）
袋本体１０は、基材フィルム１１が折り返して重ね合わされ、折り返す方向の両側に対応する重なり合う両縁部にサイドシール部１０Ａが形成されている。袋本体１０は、折り返す方向の端部に対応する重なり合い一方向に延びた縁が、改竄防止用のジッパーテープ２０を取り付ける開口端１２となる。
袋本体１０の内部には物品Ｇを収納する収納空間１３が設けられている。袋本体１０の開口端１２とは反対側の底部にガゼット１０Ｂが設けられている。
なお、本実施形態では、開口端１２のみが開放可能な構成であれば、必ずしも、ガゼット１０Ｂを設けることを要しない。例えば基材フィルム１１を折り返したまま、または、底材を挿入したスタンディングパウチとしたり、ボトムシール部を設けたりしてもよい。また、基材フィルム１１を折り返して重ね合わせて製袋する場合に限らず、２枚の基材フィルムを重ね合わせてサイドシール部１０Ａおよびボトムシール部を設けて製袋したり、背貼り部を設けて製袋したりしてもよい。
【００３２】
基材フィルム１１としては、例えば、（直鎖状）低密度ポリエチレン（Linear Low Density Polyethylene：ＬＬＤＰＥ）、ポリプロピレン（Polypropylene：ＰＰ）などの熱可塑性樹脂にて形成された単層または多層のフィルムを利用できる。多層のフィルムとしては、表基材に、二軸延伸したポリプロピレン（Oriented Polypropylene：ＯＰＰ）、二軸延伸ポリエチレンテレフタレート（ＯＰＥＴ）、二軸延伸ナイロン（ＯＮｙ）、キャストポリプロピレン（Cast Polypropylene：ＣＰＰ）などを用いることができる。なお、多層フィルムとして、いわゆるガスバリアーや遮光などの目的で、アルミニウム蒸着やアルミニウム箔の積層など、無機系の層を備えた構成としてもよい。
また、基材フィルム１１は、包装袋用材料であれば特に限定されないが、例えば厚み寸法が１０μｍ以上２００μｍ以下であることが好ましい。厚み寸法が１０μｍ未満であると、シール強度、袋強度が弱くなる場合がある。
【００３３】
開封用切断部３０は、物品Ｇを改竄防止袋１から取り出す際に用いるもので、袋本体１０の両サイドシール部１０Ａにそれぞれ設けられた切欠３０Ａや、これらの切欠３０Ａ同士を接続した直線状切断部を例示できる。
なお、直線状切断部としては、ジッパーテープ２０の雌側テープ部材２１と雄側テープ部材２２とにそれぞれ一体形成された直線カット部や、雌側テープ部材２１や雄側テープ部材２２から離れて設けられた直線カットフィルムや、レーザー加工、ミシン目加工等で形成された切断線を例示することができる。
【００３４】
（ジッパーテープの構成）
ジッパーテープ２０の詳細な構成が図３に示されている。
図３において、改竄防止用のジッパーテープ２０は、それぞれ開口端１２と平行に配置された雌側テープ部材２１および雄側テープ部材２２を備えている。
これらの雌側テープ部材２１と雄側テープ部材２２とは、長手方向と直交する方向が幅方向（図３では上下方向）とされている。幅方向の一方の方向（上方）が開口端１２側になり、幅方向の他方の方向（下方）が収納空間１３側となる。本実施形態では、雌側テープ部材２１が図３の左側に配置され、雄側テープ部材２２が図３の右側に配置される。
【００３５】
雌側テープ部材２１は、雌側帯状基部２１１と、雌側帯状基部２１１の一面の幅方向における略中央に連設された雌側鈎部２１２と、を備えて構成されている。
雌側帯状基部２１１は、平板状に形成され、雌側鈎部２１２が設けられた側と反対側の面が袋本体１０の内面に接合される接合面２１１Ａとなっている。
雌側鈎部２１２は、互いに対向する一対の雌構成部２１２Ａを有する。これらの雌構成部２１２Ａは、それぞれ雌側帯状基部２１１の平面から突出した突出部２１２Ｂと、これらの突出部２１２Ｂの先端に一体形成され互いに向かい合う方向にのみ突出した係脱爪部としての雌側爪部２１２Ｃとを備えている。これら雌側爪部２１２Ｃは、先端が雌側帯状基部２１１に向けて折り返すように形成されている。
【００３６】
雄側テープ部材２２は、雌側帯状基部２１１に対向配置される雄側帯状基部２２１と、雄側帯状基部２２１の一面の幅方向における略中央に連設された雌側鈎部２１２と係脱可能に咬合する雄側鈎部２２２と、を備えて構成されている。そして、互いに咬合する雌側鈎部２１２および雄側鈎部２２２が、本発明の咬合部Ｘをそれぞれ構成する。
雄側帯状基部２２１は、平板状に形成されており、開口端１２側の端縁は袋本体１０の開口端１２から離れて袋本体１０に取り付けられていない。具体的には、少なくとも雄側鈎部２２２が連設する位置から袋本体１０の開口端１２側に対応する一縁までが袋本体１０に取り付けられておらず、雄側鈎部２２２が設けられた領域を除いた収納空間１３側の端縁（図３では下端縁）を含む接合領域Ｅのみで袋本体１０に接合されている。
雄側鈎部２２２は、雄側帯状基部２２１の平面から突出した突出部２２２Ａと、この突出部２２２Ａの先端から収納空間１３側と開口端１２側とのそれぞれに向けて突出した爪部である雄側爪部２２２Ｂにより断面やじり状に形成されている。これら雄側爪部２２２Ｂは先端が雄側帯状基部２２１に向けて折り返すように形成されている。
【００３７】
このようなジッパーテープ２０は、例えば、ポリオレフィン系樹脂を用いて形成されている。なお、ジッパーテープ２０は、長手方向に対して折り曲げることで、その状態を保持する形状保形性を有して形成してもよい。
ポリオレフィン系樹脂としては、例えば、低密度ポリエチレンまたは直鎖状低密度ポリエチレンなどのポリエチレン系樹脂、ポリプロピレン系樹脂が好ましい。特に、剛性が高く変形しにくいという観点から、ポリプロピレン系樹脂が好ましい。ポリプロピレン系樹脂としては、ホモポリプロピレン（Ｈ−ＰＰ）、ブロックポリプロピレン（Ｂ−ＰＰ）、ランダムポリプロピレン（Ｒ−ＰＰ）、プロピレン−エチレン−ブテン１ランダム三元共重合体などが利用できる。
【００３８】
［ジッパーテープ付袋体の製造方法および製造装置］
ジッパーテープ付袋体２を製造するには、種々の方法を採用することができる。
例えば、雌側テープ部材２１と雄側テープ部材２２とをそれぞれ押出成形などによって成形しておく。そして、雌側テープ部材２１と雄側テープ部材２２とのそれぞれ所定の接合領域をそれぞれ基材フィルム１１の両端縁にヒートシールしてジッパーテープ２０を袋本体１０に融着する。
その後、基材フィルム１１を折り曲げてガゼット１０Ｂを形成し、サイドシール部１０Ａをヒートシールで形成する。その後、袋本体１０に開封用切断部３０を設ける。
【００３９】
このように、ジッパーテープ付袋体２を製造する装置としては、例えば、図４に示す装置が利用できる。
この製造装置３は、いわゆる縦ピロー式で、雌側テープ部材２１と雄側テープ部材２２とを繰り出し、繰り出された基材フィルム１１にそれぞれ配置させる配置部３１と、雌側テープ部材２１と雄側テープ部材２２とを基材フィルム１１に融着して取り付ける取付部３２とを備えている。
取付部３２は、基材フィルム１１が巻かれる円筒フォーマ３２１と、送りベルト３２２と、雄側帯状基部２２１を接合領域Ｅでヒートシールするとともに、雌側帯状基部２１１の咬合部Ｘ，Ｙより開口端１２側および収納空間１３側をヒートシールするシールバー３２３と、切欠３０Ａを形成する打ち抜き部３２４と、サイドシール部１０Ａを形成するサイドシールバー３２５と、ガゼット１０Ｂを形成する治具３２６と、を備えている。
【００４０】
［物品の収納方法］
次に、ジッパーテープ付袋体２に物品Ｇを収納する物品収納方法について、図面に基づいて説明する。
図５は、ジッパーテープ付袋体２に物品Ｇを収容する物品収納方法を説明する概念図で、（Ａ）は開封工程を示す図、（Ｂ）は収納工程を示す図、（Ｃ）は咬合工程を示す図、（Ｄ）は物品収納後の改竄防止袋１を示す図である。図６は、物品収納前のジッパーテープ付袋体２の開封を説明する正面図である。図７は、図６におけるジッパーテープ２０近傍を示す断面図である。図８は、改竄防止袋１の開封を防止する状態を説明する断面図である。
【００４１】
図５（Ａ）、図６および図７に示される通り、ジッパーテープ付袋体２を搬送する際に、咬合部Ｘが誤って咬合しないようにするため、雌側鈎部２１２と雄側鈎部２２２との間にフィルムＡを介装しておく。
小売店などでは、フィルムＡを取り除くとともに、袋本体１０の開口端１２が大きく開放された状態に開口させる開口工程を実施する。
そして、図５（Ｂ）に示される通り、袋本体１０の開口端１２から収納空間１３に物品Ｇを収納する収納工程を実施する。
収納工程の後、図５（Ｃ）に示される通り、物品Ｇが収納されたら、ジッパーテープ２０の一端から他端に向けて咬合部Ｘ，Ｙを咬合させ、雌側テープ部材２１と雄側テープ部材２２とを互いに係合させる咬合工程を実施する。
これにより、図５（Ｄ）に示される通り、物品Ｇが収納空間１３に収納された改竄防止袋１が完成する。
完成した改竄防止袋１を販売するために、売り場に展示する。
【００４２】
売り場にて、商品を改竄しようとする者が改竄防止袋１の袋本体１０の開口端１２の近傍を持って引っ張っても、ジッパーテープ２０を開けることができない。
つまり、図８に示される通り、袋本体１０の開口端１２の近傍が引っ張られることで、雌側テープ部材２１が開口端側に向けた方向Ｑ１に引っ張られる。これに対して、雄側テープ部材２２は、雄側帯状基部２２１の収納空間１３側の一部の接合領域Ｅのみが袋本体１０の内面に接合されるので、雌側テープ部材２１とは反対側の方向Ｑ２に引っ張られる。すると、雌側帯状基部２１１と雄側帯状基部２２１とに剪断させる方向に力が作用する。
この力により、雌側爪部２１２Ｃと雄側爪部２２２Ｂとが互いに噛み合う状態となる。
一方、袋本体１０の収納空間１３側からジッパーテープ２０を開けようとしても開封できない。つまり、袋本体１０の収納空間１３側を把持して咬合を解除しようとした際、雌側鈎部２１２と雄側鈎部２２２とが互いに離れる方向に動こうとする。この状態では、これらの雌側爪部２１２Ｃと雄側爪部２２２Ｂとは、先端が折り返す鈎状に形成されているので、互いに離れにくくなっており、強い力で袋本体１０を引っ張る必要があり、袋本体１０が破れたり、ジッパーテープ２０が切れてしまい、改竄が防止される。
そして、売り場にて、物品Ｇが収納された改竄防止袋１を購入した消費者は、改竄防止用のジッパーテープ２０自体を開けることができないので、物品Ｇを取り出すために、開封用切断部３０により、袋本体１０を切断する。
【００４３】
［第一実施形態の効果］
上記第一実施形態では、次の効果を奏することができる。
すなわち、上記第一実施形態では、袋本体１０の内面にジッパーテープ２０を取り付けるに際して、雄側帯状基部２２１のみ、咬合部Ｘが連設する位置から袋本体１０の開口端１２側に対応する一縁側を取り付けず、接合領域Ｅのみ取り付ける構成としている。
このことにより、物品Ｇの収納後は、袋本体１０の開口端１２側を把持して開封しようとした場合、雌側帯状基部２１１と雄側帯状基部２２１とに剪断させる方向に力が作用する。このため、雌側爪部２１２Ｃおよび雄側爪部２２２Ｂが互いに噛み合う状態となり、咬合を外すことができない。したがって、袋本体１０に物品Ｇを収納して咬合部Ｘを咬合させた後は、開封操作自体が不可能となって、物品Ｇの改竄を確実に防止できるジッパーテープ付袋体２を提供できる。
【００４４】
そして、袋本体１０の開口端１２側に対応する一縁側が袋本体１０に取り付けられていない雄側テープ部材２２に、収納空間１３側に向けて突出し、雌側テープ部材２１の開口端１２側に向けて突出する雌側爪部２１２Ｃに係脱する雄側帯状基部２２１を設けている。
このことにより、袋本体１０を開封させようとすると、確実に雌側爪部２１２Ｃおよび雄側爪部２２２Ｂが互いに噛み合う状態となり、確実に改竄を防止することができる。さらに、袋本体１０の収納空間１３側を把持して袋本体１０を開封しようとしても、雌側爪部２１２Ｃおよび雄側爪部２２２Ｂが互いに噛み合う状態となるので、確実に改竄を防止できる。
【００４５】
また、咬合する咬合部Ｘを切断除去する開封用切断部３０を設けている。
このため、利用者が改竄防止袋１から収納された物品Ｇを取り出すことができ、開封が容易で利用勝手がよい。
【００４６】
｛第二実施形態｝
次に、本発明の第二実施形態を図面に基づいて説明する。
図９は、第二実施形態における改竄防止袋を示す平面図である。図１０は、改竄防止袋の断面図である。
この第二実施形態では、第一実施形態における縦ピロー式の製袋方法に代え、三方製袋方法にて製造するものである。
【００４７】
［改竄防止袋の構成］
図９，１０に示すように、改竄防止袋１は、第一実施形態における改竄防止袋１におけるガゼット１０Ｂに代えて、ボトムシール部１０Ｃを設けたものである。
【００４８】
［ジッパーテープ付袋体の製造装置］
次に、上記第二実施形態の改竄防止袋１となるジッパーテープ付袋体２を製造する製造装置について図面を参照して説明する。
図１１は、ジッパーテープ付袋体の製造装置を示す概念図である。
【００４９】
製造装置４は、図１１に示すように、三方製袋方法で用いられるもので、基材フィルム１１を繰り出すフィルム繰出装置４１と、咬合したジッパーテープ２０をそれぞれ繰り出す配置部としてのテープ操出装置４２と、ジッパーテープ２０を基材フィルム１１にヒートシールする取付部としてのテープ接着装置４３と、ボトムシール部１０Ｃを形成するシールバー４４と、ジッパーテープ２０が押し潰された図示しない潰し部を形成するポイントシール装置４５と、サイドシール部１０Ａを形成するサイドシールバー４６と、二本のジッパーテープ２０間で切断して並列に形成されるジッパーテープ付袋体２を切り分ける切断部４７と、サイドシール部１０Ａの中間位置で切断し、ボトムシール部１０Ｃとサイドシール部１０Ａとの三方がヒートシールされたジッパーテープ付袋体２を得るカッター部４８と、を備えている。
【００５０】
［ジッパーテープ付袋体の製造方法］
次に、上記製造装置４を用いたジッパーテープ付袋体２の製造方法について説明する。
ジッパーテープ付袋体２の製造方法は、基材フィルム１１を繰り出すフィルム繰出工程と、ジッパーテープ２０を繰り出すテープ操出工程と、ジッパーテープ２０を基材フィルム１１に接着させるジッパーテープ取付工程と、基材フィルム１１からジッパーテープ付袋体２を形成させる製袋工程と、などを実施する。
【００５１】
フィルム繰出工程で、基材フィルム１１を長手方向で２枚に切断して重ね合わせ、この重ね合わせた基材フィルム１１をジッパーテープ取付工程へ繰り出す。一方、テープ操出工程で、咬合されたジッパーテープ２０を重ね合わされた基材フィルム１１間に供給する。
この後、ジッパーテープ取付工程で、テープ接着装置４３によりジッパーテープ２０を基材フィルム１１にヒートシールする。
そして、製袋工程で、シールバー４４により基材フィルム１１をヒートシールしてボトムシール部１０Ｃを形成し、ポイントシール装置４５により所定間隔で潰し部を形成し、さらにサイドシールバー４６により潰し部の位置で基材フィルム１１をヒートシールしてサイドシール部１０Ａを形成する。そして、切断部４７により、二本のジッパーテープ２０間で基材フィルム１１を切断し、並列に形成されるジッパーテープ付袋体２を切り分ける。この後、カッター部４８により、サイドシール部１０Ａの中間位置で切断し、ボトムシール部１０Ｃとサイドシール部１０Ａとの三方がヒートシールされたジッパーテープ付袋体２を得る。
そして、小売店や充填業者などの収納方法を知っている者により、袋本体１０に取り付けられていない雄側テープ部材２２の一縁側と、雌側テープ部材２１が取り付けられた袋本体１０の開口端１２側を持って開口させる。このことにより、ジッパーテープ２０には剪断させる方向に力が掛からず、通常のジッパーテープ付袋体と同様に開口される。この開口端１２からジッパーテープ付袋体２に物品Ｇを収納し、第一実施形態と同様に改竄防止袋１が完成する。
【００５２】
［第二実施形態の作用効果］
上記第二実施形態の三方製袋方法により製造したジッパーテープ付袋体２も同様に、袋本体１０の開口端１２側を把持して開封しようとした場合、雌側帯状基部２１１と雄側帯状基部２２１とに剪断させる方向に力が作用する。このため、雌側爪部２１２Ｃおよび雄側爪部２２２Ｂが互いに噛み合う状態となり、咬合を外すことができない。したがって、袋本体１０に物品Ｇを収納して咬合部Ｘを咬合させた後は、開封操作自体が不可能となって、物品Ｇの改竄を確実に防止できるジッパーテープ付袋体２を提供できる。
また、物品Ｇの収納時、もしくは誤って物品Ｇを収納していまい、物品Ｇを再収納する際には、袋本体１０に取り付けられていない雄側テープ部材２２の一縁側と、雌側テープ部材２１が取り付けられた袋本体１０の開口端１２側を持って開口させることで咬合が解除される。このため、咬合して製袋しても物品Ｇの収納あるいは再収納時に開封させることができ、収納作業や製袋作業が容易にできる。
【００５３】
［変形例］
なお、本発明を実施するための最良の構成などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、材質、数量、その他の詳細な構成において、当業者が様々な変形を加えることができるものである。
したがって、上記に開示した材質、層構成などを限定した記載は、本発明の理解を容易にするために例示的に記載したものであり、本発明を限定するものではないから、それらの材質などの限定の一部若しくは全部の限定を外した名称での記載は、本発明に含まれるものである。
【００５４】
例えば、上記実施形態では雄側テープ部材２２を接合領域Ｅのみで袋本体１０に接合したが、逆の構成として、雌側テープ部材２１を接合領域Ｅのみで袋本体１０に接合してもよい。
また、例えば図１２に示すように、咬合部Ｘを複数対設けてもよい。そして、複数対の咬合部Ｘは、例えば図１３に示すように、雌側鈎部２１２と雄側鈎部２２２とが反対向きで設けた構成としてもよい。
【００５５】
さらに、例えば図１４に示すように、収納空間１３側の咬合部Ｘとして、片側にのみ爪を有した断面鈎状に形成した咬合部Ｙとしてもよい。具体的には、咬合部Ｙは、咬合部Ｘより収納空間１３側に併設され、雌側帯状基部２１１に連設された第二の雌側鈎部２１３と、雄側帯状基部２２１に連設され第二の雌側鈎部２１３に係脱可能に咬合する第二の雄側鈎部２２３と、により構成されている。このように、咬合する構成としては、断面鈎状の構成としてもよい。
なお、図１４に示すジッパーテープ２０において、第二の雌側鈎部２１３の雌側爪部２１３Ｂが本発明の開口側爪部で、第二の雄側鈎部２２３の雄側爪部２２３Ｂが本発明の内側爪部である。
そして、図１４に示すジッパーテープ２０の咬合部Ｙとしては、例えば図１５に示すように、雌側鈎部２１２と雄側鈎部２２２とが反対向きで設けた構成としてもよい。なお、この図１５に示す構成では、第二の雌側鈎部２１３および第二の雄側鈎部２２３の良好な咬合が得られるように、雌側テープ部材２１の開口縁１２側が袋本体１０に取り付けられていない構成とすることが好ましい。
【００５６】
また、ジッパーテープ付袋体２としては、例えば図１６に示すように、接合領域Ｅで取り付けられる雄側テープ部材２２として、咬合部Ｘから開口端１２側に対応する一縁が、雌側テープ部材２１における咬合部Ｘから開口端１２側に対応する一縁側の長さ寸法より短くしたものとしてもよい。
なお、この短い長さとは、０．０ｍｍ以上２．０ｍｍ以下であり、これは人の指で把持できない距離である。
この図１６に示すジッパーテープ付袋体２としては、咬合部Ｘから開口端１２側に対応する一縁側があらかじめ短い改竄防止用のジッパーテープ２０を用いて基材フィルム１１に取り付ける場合では、ジッパーテープ付袋体２を小売店などに搬送する際に、咬合部Ｘが誤って咬合しないようにするため、雌側鈎部２１２と雄側鈎部２２２との間にフィルムＡを介装しておく。
【００５７】
また、図１６に示すジッパーテープ付袋体２として、咬合部Ｘから開口端１２側に対応する一縁側があらかじめ短い改竄防止用のジッパーテープ２０を用いて製袋する他、例えば図１４に示すように、物品Ｇを収納した後に、咬合部Ｘから開口端１２側に対応する一縁側を切断して図１６に示す改竄防止袋１の構成としてもよい。
すなわち、接合領域Ｅで取り付けられる側、例えば雄側テープ部材２２の雄側帯状基部２２１に、雄側鈎部２２２の基端で一縁側に位置して薄肉部２２４を設けて、一縁側を切断片２２５として切断可能としている。なお、薄肉部２２４が設けられた側となる雄側鈎部において、開口端１２側に向けて突出する雄側爪部２２２Ｂとしては、断面山形状として、先端が雄側帯状基部２２１に向けて折り返さない形状とすることが好ましい。
【００５８】
図１７に示すジッパーテープ付袋体２では、小売店などに搬送する際に咬合部Ｘが咬合してしまったり、物品Ｇを誤って収納してしまったりした場合、切断片２２５を把持するとともに雌側帯状基部２１１の開口端１２側を把持して、互いに離反する方向に力を作用させる。このことで、咬合部Ｘ，Ｙには剪断させる方向に力が作用せず、咬合が解除され、袋本体１０を開放できる。このため、袋本体１０を開口して物品Ｇを収納する作業が容易にできる。
そして、物品Ｇを収納した後、切断片２２５を薄肉部２２４で切断して図１６に示す改竄防止袋１とすることで、切断片２２５を把持できないことから、開封操作不可能となり、改竄を確実に防止できる。同様に、第一実施形態および第二実施形態についても取り付けられていない一縁側を切除することで、確実に開封操作不可能とすることができる。
なお、薄肉部２２４の構成としては、切断可能に薄肉に形成されていれば、断面形状は断面Ｖ字状や段差を有しない曲面状とするなどしてもよい。また、いわゆるミシン目のように直線状に目打ちを形成して切断片２２５を切断可能な薄肉部２２４としてもよい。
【００５９】
また、開封用切断部３０としては、第一実施形態の袋本体１０に設ける構成に限らず、例えばジッパーテープ２０の雌側テープ部材２１と雄側テープ部材２２とにそれぞれ一体形成された構成としたり、雌側テープ部材２１や雄側テープ部材２２から離れて設けられた直線カットフィルムを用いたりしてもよい。
なお、開封用切断部３０を必ずしも設けることを要しない。つまり、開封用切断部３０がなくても、ハサミなどの刃物で、袋本体１０を切断することで、物品Ｇの取り出しを行うことができる。
【産業上の利用可能性】
【００６０】
本発明は、例えば、雑貨、食品、薬品、医療品等の各種物品の収納時に封止する改竄防止用のジッパーテープ付袋体、および、このジッパーテープ付袋体に物品が収納された改竄防止袋に利用することができる。
【符号の説明】
【００６１】
１……ジッパーテープ付袋体である改竄防止袋
２……ジッパーテープ付袋体
３，４……製造装置
１０……袋本体
２０……ジッパーテープ
３１……配置部
３２……取付部
４２……配置部としてのテープ操出装置
４３……取付部としてのテープ接着装置
２１１……帯状基部である雌側帯状基部
２１２……雌側鈎部
２１２Ｃ，２１３Ｂ…開口側爪部としての雌側爪部
２２１……帯状基部である雄側帯状基部
２２２……雄側鈎部
２２２Ｂ，２２３Ｂ…内側爪部としての雄側爪部
Ｇ……物品
Ｇ１，Ｇ２…物品であるボトル
【図１】
2015217980.tif 000003
【図２】
2015217980.tif 000004
【図３】
2015217980.tif 000005
【図４】
2015217980.tif 000006
【図５】
2015217980.tif 000007
【図６】
2015217980.tif 000008
【図７】
2015217980.tif 000009
【図８】
2015217980.tif 000010
【図９】
2015217980.tif 000011
【図１０】
2015217980.tif 000012
【図１１】
2015217980.tif 000013
【図１２】
2015217980.tif 000014
【図１３】
2015217980.tif 000015
【図１４】
2015217980.tif 000016
【図１５】
2015217980.tif 000017
【図１６】
2015217980.tif 000018
【図１７】
2015217980.tif 000019